(57)【要約】  手術台（４０、１４０、２４０、３４０、４００）と併用する保持装置（５６、２５６、３５６）は、縦軸を有する第一の放射線透過性梁（５８、２５８、４６４）と縦軸を有する第二の放射線透過性梁（５９、２５９、４６６）とを有する。第一の梁（５８、２５８、４６４）および第二の梁（５９、２５９、４６６）は、それぞれデッキ（５２、２５２、３５２）に連結され、片持ち梁状構造内でそこから外側に伸長する。
2010536535.tif 000002
【特許請求の範囲】
【請求項１】
調節可能な柱脚と、
柱脚に固定された主要部分および片持ち梁状部分を有するように形成されたデッキとを備え、前記片持ち梁状部分は、（i）前記主要部分に固定され、片持ち梁状構造内でそこから外側に伸長する、縦軸を有する第一の放射線透過性梁と、（ii）前記主要部分に固定され、片持ち梁状構造内でそこから外側に伸長する、縦軸を有する第二の放射線透過性梁とを有し、前記第二の梁の縦軸は、一般に前記第一の梁の縦軸に対して平行に配向され、前記第一および第二の梁は、患者保持用アクセサリによって支えられる実質的に全ての荷重が前記各梁を通って前記主要部分に直接伝達されるように、連携して患者保持用アクセサリを保持するよう構成されている、患者支持装置。
【請求項２】
前記各梁が横方向に間隔をおいて配置され、各梁間に空間を形成する、請求項１に記載の患者支持装置。
【請求項３】
前記デッキの前記片持ち梁状部分が、前記デッキの前記主要部分から十分な距離を伸長し、脊髄外科患者の上半身を保持する、請求項１に記載の患者支持装置。
【請求項４】
前記片持ち梁状部分が各梁の間を前記主要部分から遠位に伸びる横材を含むように形成される、請求項１に記載の患者支持装置。
【請求項５】
前記主要部分の各上面、前記第一の梁、前記第二の梁および前記横梁がすべて実質的に同一平面上にある、請求項４に記載の患者支持装置。
【請求項６】
前記デッキが炭素繊維複合材料から構成される、請求項１に記載の患者支持装置。
【請求項７】
それぞれの梁が炭素繊維複合材料から成る、請求項６に記載の患者支持装置。
【請求項８】
前記患者支持装置が、腹臥位の患者を保持するよう構成された患者保持用アクセサリをさらに備え、前記患者保持用アクセサリは第一および第二のレール上に保持され、各レールの縦軸に沿って移動可能である、請求項１に記載の患者支持装置。
【請求項９】
前記患者保持用アクセサリが頭部保持具である、請求項８に記載の患者支持装置。
【請求項１０】
前記患者保持用アクセサリが、各レールに固定されるように構成される、請求項８に記載の患者支持装置。
【請求項１１】
前記デッキの前記片持ち梁状部分が、前記主要部分から外側に向かって伸び、前記片持ち梁状部分と前記患者支持装置を支持する床との間の隙間を形成して、前記片持ち梁状部分上に保持された患者に対して３６０度の撮像手段を提供する、請求項１０に記載の患者支持装置。
【請求項１２】
調節可能な柱脚と、
前記柱脚に保持されたデッキと、
前記デッキに連結された片持ち梁状保持部とを備え、前記片持ち梁状保持部は、（i）前記デッキに連結され、片持ち梁状構造内でそこから外側に伸長する、縦軸を有する第一の放射線透過性梁と、（ii）前記デッキに連結され、片持ち梁状構造内でそこから外側に伸長する、縦軸を有する第二の放射線透過性梁とを有し、前記第二の梁の縦軸は一般に前記第一の梁の縦軸に対して平行に配向され、前記第一および第二の梁は、患者保持用アクセサリによって支えられる実質的に全ての荷重が前記各梁を通って前記デッキに直接伝達されるように、連携して患者保持用アクセサリを保持するよう構成されている、患者支持装置。
【請求項１３】
前記患者支持装置は、前記デッキから伸長し、前記デッキと相対的に調節可能な第一および第二の円材をさらに備え、前記第一および前記第二の放射線透過性の梁は、前記第一および前記第二の円材にそれぞれ連結される、請求項１２に記載の患者支持装置。
【請求項１４】
前記片持ち梁状部分は、前記第一および前記第二の放射線透過性の梁にそれぞれ連結された第一および第二のレシーバーを含み、前記第一および前記第二のレシーバーは、前記第一および前記第二の円材とそれぞれ噛み合い、前記デッキからの前記片持ち梁状部分を保持するように構成される、請求項１３に記載の患者支持装置。
【請求項１５】
前記各レシーバーは、前記レシーバーが前記各円材に固定されるように前記片持ち梁状部分が前記デッキに連結される場合に、前記各円材の一部分を受容するための大きさの内部空間を有するように形成される、請求項１４に記載の患者支持装置。
【請求項１６】
前記各円材は、前記デッキに対して枢動可能である、請求項１３に記載の患者支持装置。
【請求項１７】
前記デッキは、前記柱脚上に保持された主要部分と前記主要部分に対して枢動可能な調節可能部分とを有し、前記片持ち梁状保持部は前記デッキの前記調節可能部分に連結される、請求項１２に記載の患者支持装置。
【請求項１８】
前記片持ち梁状保持部は、前記第一の梁に連結された第一の連結器と前記第二の梁に連結された第二の連結器とを有し、前記第一および前記第二の連結器は、前記片持ち梁状保持部を前記デッキに固定するように前記デッキの調節可能部分のうちの一部分と噛み合うよう構成されている、請求項１７に記載の患者支持装置。
【請求項１９】
前記第一および前記第二の連結器は、前記連結器を前記デッキの調節可能部分に固定するためにクランプ機構の圧力を調節するよう構成された手動アクチュエータを含むクランプ機構をそれぞれ備えている、請求項１８に記載の患者支持装置。
【請求項２０】
前記調節可能なデッキはアクセサリレールを有し、前記第一および前記第二の連結器の各クランプ機構は、前記片持ち梁状保持部を前記アクセサリレールに固定する、請求項１９に記載の患者支持装置。
【請求項２１】
クランプ機構は、第一のグリップと前記第一のグリップと相対的に移動可能な第二のグリップとを備え、前記第二のグリップは、前記デッキの調節可能部分の前記アクセサリレール上の前記連結器を位置決めするためのテーパー付き表面を有している、請求項２０に記載の患者支持装置。
【請求項２２】
前記片持ち梁状保持部は、前記第一の梁に連結された第一の連結器と前記第二の梁に連結された第二の連結器とを有し、前記第一および前記第二の連結器は前記デッキの一部分と噛み合い、前記片持ち梁状保持部を前記デッキに固定するように構成されている、請求項１２に記載の患者支持装置。
【請求項２３】
デッキはアクセサリレールを有し、前記第一および前記第二の連結器は、前記片持ち梁状保持部を前記アクセサリレールに固定するための各クランプ機構を有する、請求項２２に記載の患者支持装置。
【請求項２４】
クランプ機構は、第一のグリップと前記第一のグリップと相対的に移動可能な第二のグリップとを備え、前記第二のグリップは、前記デッキの調節可能部分の前記アクセサリレール上の前記連結器を位置決めするためのテーパー付き表面を有している、請求項２３に記載の患者支持装置。
【請求項２５】
前記第一および前記第二の連結器は、前記デッキおよび前記片持ち梁状保持部が水平位置にある場合に、前記第一および前記第二の梁のそれぞれの上部表面が前記デッキの一部分の上部表面の下に垂直に位置するように前記片持ち梁状保持部を位置決めするよう構成されている、請求項２４に記載の患者支持装置。
【請求項２６】
放射線透過性デッキ部分を有する手術台と併用するアクセサリプラットフォームであり、前記プラットフォームは、
間隔をおいた複数の一般に平行な放射線透過性の支持梁と、
前記各支持梁を相互接続し、前記プラットフォームを前記手術台のデッキ部分に固定するように構成された複数のクランプ機構と
を備えるアクセサリプラットフォーム。
【請求項２７】
前記各支持梁はそれぞれ長軸方向の長さを有し、前記クランプ機構は、連携して前記各梁の長軸方向の長さを前記手術台のデッキの長軸方向の長さに揃えるように構成される、請求項２６に記載のアクセサリプラットフォーム。
【請求項２８】
前記プラットフォームは、前記各梁上に保持された患者保持用アクセサリを有する、請求項２７に記載のアクセサリプラットフォーム。
【請求項２９】
患者の一部分が前記手術台のデッキの上部表面上で垂直方向に間隔が空くように、各梁は腹臥位の患者を保持する、請求項２８に記載のアクセサリプラットフォーム。
【請求項３０】
前記各支持梁はセグメント化され、ヒンジで接続されて各セグメントが互いに関節を形成するようになっている、請求項２９に記載のアクセサリプラットフォーム。
【請求項３１】
前記各支持梁はセグメント化され、ヒンジで接続されて各セグメントが互いに関節を形成するようになり、また各セグメント相互に移動させることができる、請求項３０に記載のアクセサリプラットフォーム。
【請求項３２】
前記クランプ機構は、第一の梁に固定された第一のグリップと、第二の梁に固定されたブロックと、前記第一のグリップおよび前記ブロックを接続する横梁とを有し、前記横梁は一般に前記第一および前記第二の梁に直交し、前記第二のグリップは前記ブロックに連結され、前記第一のグリップと前記第二のグリップとの間の距離を変化させるよう前記ブロックに対して移動可能であり、これにより前記プラットフォームを前記手術台のデッキに固定させる、請求項３１に記載のアクセサリプラットフォーム。
【請求項３３】
前記クランプ機構は、前記第二のグリップを前記ブロックに対して移動させるためのアクチュエータを有する、請求項３２に記載のアクセサリプラットフォーム。
【請求項３４】
前記アクチュエータはねじ付ロッドおよび球状部分を有し、前記ねじ付ロッドは前記ブロック内に受容され、前記ねじ付ロッドの回転によって前記球状部分が前記第二のグリップに作用して、前記第一のグリップと前記第二のグリップの間の距離を変化させる、請求項３３に記載のアクセサリプラットフォーム。
【請求項３５】
前記クランプ機構は、第一の梁に固定された第一のグリップと、第二の梁に固定されたブロックと、前記第一のグリップおよび前記ブロックを接続する横梁とを有し、前記横梁は一般に前記第一および前記第二の梁に直交し、前記第二のグリップは前記ブロックに連結され、前記第一のグリップと前記第二のグリップとの間の距離を変化させるよう前記ブロックに対して移動可能であり、これにより前記プラットフォームを前記手術台のデッキに固定させる、請求項２６に記載のアクセサリプラットフォーム。
【請求項３６】
前記クランプ機構は、前記第二のグリップを前記ブロックに対して移動させるためのアクチュエータを有する、請求項３５に記載のアクセサリプラットフォーム。
【請求項３７】
前記アクチュエータはねじ付ロッドおよび球状部分を有し、前記ねじ付ロッドは前記ブロック内に受容され、前記ねじ付ロッドの回転によって前記球状部分が前記第二のグリップに作用して、前記第一のグリップと前記第二のグリップの間の距離を変化させる、請求項３６に記載のアクセサリプラットフォーム。
【請求項３８】
柱脚と、
前記柱脚に保持されたデッキと、
（i）前記デッキに固定され、片持ち梁状構造内でそこから外側に伸長する、縦軸を有する第一の放射線透過性梁と、（ii）前記デッキに固定され、片持ち梁状構造内でそこから外側に伸長する、縦軸を有する第二の放射線透過性梁とを有し、前記第二の梁の縦軸は一般に前記第一の梁の縦軸に対して平行に配向され、前記第一および前記第二の梁は連携して患者保持用アクセサリを保持するよう構成される片持ち梁状保持部と、
前記患者保持用アクセサリによって支えられる実質的に全ての荷重が各梁を通って前記デッキに直接伝達されるように、前記片持ち梁状保持部を前記デッキに連結する手段と
を備える患者支持装置。
【請求項３９】
前記片持ち梁状保持部を前記デッキに連結する手段は、前記デッキ、および前記第一および前記第二の放射線透過性梁にそれぞれ連結された第一および第二のレシーバーから伸びる第一および第二の円材を備え、前記第一および前記第二のレシーバーは、前記デッキからの前記片持ち梁状部分を保持するために前記第一および前記第二の円材とそれぞれ噛み合うように構成される、請求項３８に記載の患者支持装置。
【請求項４０】
前記各円材は、前記片持ち梁状保持部を各梁の長軸方向の長さと一般に直交している軸を中心に前記デッキに対して移動させるように前記デッキに対して調節可能である、請求項３９に記載の患者支持装置。
【請求項４１】
前記片持ち梁状保持部を前記デッキに連結する手段は、前記第一の梁に連結された第一の連結器と前記第二の梁に連結された第二の連結器とを備え、前記第一および前記第二の連結器は、前記デッキの一部分と噛み合い、前記片持ち梁状保持部を前記デッキに固定するように構成され、前記第一および前記第二の連結器は、前記連結器を前記デッキに固定するためにクランプ機構の圧力を調節するよう構成された手動アクチュエータを有するクランプ機構をそれぞれ備える、請求項３８に記載の患者支持装置。
【請求項４２】
前記デッキはアクセサリレールを有し、前記クランプ機構は前記アクセサリレールと噛み合うように構成されている、請求項４１に記載の患者支持装置。
【請求項４３】
クランプ機構は第一のグリップと、前記第一のグリップと相対的に移動可能な第二のグリップとを備え、前記第二のグリップは前記デッキの前記アクセサリレール上に前記連結器を位置決めするためのテーパー付き表面を有する、請求項４２に記載の患者支持装置。
【請求項４４】
手術台と併用する片持ち梁状保持部であって、前記片持ち梁状保持部は、
デッキに固定され、片持ち梁状構造内でそこから外側に伸長する、縦軸を有する第一の放射線透過性梁と、
前記デッキに固定され、片持ち梁状構造内でそこから外側に伸長する、縦軸を有する第二の放射線透過性梁であって、前記第二の梁の縦軸は一般に前記第一の梁の縦軸に対して平行に配向され、前記第一および前記第二の梁は連携して患者保持用アクセサリを保持するよう構成されることと、
前記患者保持用アクセサリによって支えられる実質的に全ての荷重が各梁を通って前記デッキに直接伝達されるように、前記片持ち梁状保持部を手術台のデッキに連結する手段と
を含む、片持ち梁状保持部。
【請求項４４】
前記デッキに前記片持ち梁状保持部を連結する手段は、前記第一および前記第二の放射線透過性の梁にそれぞれ連結された第一および第二のレシーバーを備え、前記第一および第二のレシーバーは、前記デッキからの前記片持ち梁状部分を保持するために、それぞれ前記手術台の第一および第二の円材と噛み合うように構成される、請求項４３に記載の患者支持装置。
【請求項４５】
前記デッキに前記片持ち梁状保持部を連結する手段は、前記第一の梁に連結された第一の連結器と前記第二の梁に連結された第二の連結器とを備え、前記第一および前記第二の連結器は、前記片持ち梁状保持部を前記デッキに固定するために前記手術台のデッキの一部分と噛み合うように構成され、前記第一および前記第二の連結器は、クランプ機構の圧力を調節して前記連結器を前記デッキに固定するよう構成された手動アクチュエータを有するクランプ機構をそれぞれ備える、請求項４３に記載の患者支持装置。
【請求項４６】
クランプ機構は、第一のグリップと、前記第一のグリップと相対的に移動可能な第二のグリップとを備え、前記第二のグリップは前記デッキのアクセサリレール上に前記連結器を位置決めするためのテーパー付き表面を有する、請求項４５に記載の患者支持装置。
【発明の詳細な説明】
【技術分野】
【０００１】
本開示は、手術台用の放射線透過性のプラットフォームに関する。さらに具体的には、本開示は、脊髄または脳神経の手術時の撮像手段を改善するために、台上に位置付けられた患者の胴を保持する目的で手術台に取り付けられる放射線透過性の構造に関する。
【背景技術】
【０００２】
整形外科手術に使用される一般的な手術台は、カート基部に取り付けられた２本の伸縮コラムと長方形の放射線透過性の管状保持フレームで構成される。複数のアクセサリは、患者を保持するためにパッドを入れた箇所を設けるよう手術台フレームに取り付けて利用することができる。
【０００３】
一般外科用のその他の手術台は、金属アクセサリレール及び一般に金属製の枠組みを有している。金属製の枠組みは、複数の金属成分の干渉により手術中の患者のＸ線撮像を制限する。
【０００４】
代表的な整形外科用手術台上で利用できるように改善されたＸ線撮像を提供するために、一般の手術台に使用される延長部分および放射線透過性の付属品が開発されてきた。多様な製造元が、取り付け用アクセサリの多数の異なる寸法や標準を大幅に増加させてきた。そのため、病院では複数の外科手術用プラットフォーム間で標準アクセサリを使用する機能が低下している。しかしながら、数多くの手術台製造元は、レールの各サイズおよび各幅を標準化してきた。
【０００５】
特に脊髄外科手術に関しては、最も一般的な２つのタイプの腰椎外科処置は、腰椎椎体間固定術（trans-vertebral fusions）及び顕微鏡下椎間板切除術（inter-body micro-diskectomies）である。腰椎推体間固定術では、両方の腰椎が互いに固定されるが、これは患者の脊柱の位置が自然な「彎曲」状態にあるときに最適に実施される。顕微鏡下での椎間板切除術では、苦痛を軽減させるために椎間板のごく一部分が除去されるので、背中の椎間関節を伸ばして広げるように患者をある程度胎児姿勢または屈曲姿勢にすることが有益となる。
【０００６】
＜関連する出願への相互参照＞
本出願は、米国特許法第１１９条（ｅ）項に基づき、２００７年８月２４日に出願された米国仮特許出願第６０／９５７,８８２号及び２００８年６月２５日に出願された米国特許出願第６１／０７５,３８１号の利益を主張するもので、全て参照により本願明細書に援用される。
【発明の概要】
【課題を解決するための手段】
【０００７】
本出願は、添付の請求項に詳説した特徴および／または単独または任意の組み合わせにより特許性のある対象を備える以下の特徴のうち、一つ以上を開示する。
【０００８】
本開示の一態様において、手術台と併用する片持ち梁状保持部には、縦軸を有する第一の放射線透過性梁および縦軸を有する第二の放射線透過性梁が含まれる。第一の梁および第二の梁はそれぞれデッキに連結され、片持ち梁状構造によりそこから外側に伸長する。第二の梁の縦軸は、一般に第一の梁の縦軸に対して平行に向けられている。第一および第二の梁は、連携して患者保持用アクセサリを保持するよう構成されている。また片持ち梁状保持部には、患者保持用アクセサリによって支えられる実質的に全ての荷重が各梁を通ってデッキに直接伝達されるように、片持ち梁状保持部を手術台のデッキに連結する手段が含まれる。
【０００９】
幾つかの実施形態において、片持ち梁状保持部をデッキに連結する手段は、それぞれ第一および第二の放射線透過性梁に連結された第一および第二のレシーバーを備えている。第一および第二のレシーバーは、手術台の第一および第二の円材とそれぞれ噛み合うように構成され、デッキから片持ち梁状部分を保持する。
【００１０】
他の実施形態において、片持ち梁状保持部をデッキに連結する手段は、第一の梁に連結された第一の連結器および第二の梁に連結された第二の連結器を備える。第一および第二の連結器は、手術台のデッキの一部分と噛み合うように構成され、これにより片持ち梁状保持部をデッキに固定する。第一および第二の連結器は、連結器をデッキに固定するために、クランプ機構の圧力を調節するよう構成された手動アクチュエータを有するクランプ機構をそれぞれ備えている。幾つかの実施形態において、クランプ機構は、第一のグリップおよび第一のグリップと相対的に移動可能な第二のグリップを備え、第二のグリップには、デッキのアクセサリレール上で連結器を位置決めするためのテーパー付き表面が含まれる。
【００１１】
本開示の別の態様において、患者支持装置は調節可能な柱脚およびデッキを備え、該デッキは柱脚に固定された主要部分および片持ち梁状部分を含むよう形成されている。片持ち梁状部分には、第一の放射線透過性の梁が片持ち梁状構造の主要部分から外側に伸長するように、縦軸を有しかつ主要部分に固定された第一の放射線透過性梁が含まれる。また、片持ち梁状部分には、第二の放射線透過性梁が片持ち梁状構造の主要部分から外側に伸長するように、縦軸を有しかつ主要部分に固定された第二の放射線透過性梁も含まれる。第二の梁の縦軸は、一般に第一の梁の縦軸に対して平行に向けられている。第一および第二の梁は、患者保持用アクセサリによって支えられる実質的に全ての荷重が梁を通って主要部分に直接伝達されるように、連動して患者保持用アクセサリを保持するように構成されている。
【００１２】
幾つかの実施形態において、各梁は横方向に間隔をおいて配置され、各梁間に空間が形成される。デッキの片持ち梁状部分は、デッキの主要部分から十分な距離を伸長し、脊髄外科患者の上半身を保持する。幾つかの実施形態において、片持ち梁状部分は、各梁の間を主要部分から遠位に伸びる横材を有するように形成される。主要部分の上面、第一の梁、第二の梁および横梁は、実質的にすべて同一平面上とすることができる。
【００１３】
幾つかの実施形態において、デッキは炭素繊維複合材料で構成される。幾つかの実施形態において、それぞれの梁は炭素繊維複合材料から成る。患者支持装置は、腹臥位の患者を保持するよう構成された患者保持用アクセサリをさらに備えることもでき、患者保持用アクセサリは第一および第二のレール上に保持され、かつ各レールの縦軸に沿って移動可能である。例えば、患者保持用アクセサリは頭部保持具でもよい。幾つかの実施形態において、患者保持用アクセサリは各レールに固定するように構成される。デッキの片持ち梁状部分は主要部分から外側に伸長でき、片持ち梁状部分と患者支持装置を支持する床との間の隙間を形成して、片持ち梁状部分上に保持された患者に対して３６０度の撮像を行うことができる。
【００１４】
また本開示の別の一態様において、患者支持装置は、調節可能な柱脚、柱脚に保持されたデッキ、およびデッキに連結された片持ち梁状保持部を備える。片持ち梁状保持部には、縦軸を持つ第一の放射線透過性梁および縦軸を持つ第二の放射線透過性梁が含まれる。第一および第二の梁はデッキに連結され、片持ち梁状構造内でそこから外側に伸長する。第二の梁の縦軸は、一般に第一の梁の縦軸に対して平行に向けられる。第一および第二の梁は、患者保持用アクセサリにより支えられる実質的に全ての荷重が各梁を通って直接デッキに伝達されるように、連携して患者保持用アクセサリを保持するように構成される。
【００１５】
幾つかの実施形態において、患者支持装置は、デッキから伸長し、デッキと相対的に調節可能な第一および第二の円材をさらに備え、第一および第二の放射線透過性梁は、第一および第二の円材にそれぞれ連結される。片持ち梁状部分は、第一および第二の放射線透過性梁にそれぞれ連結された第一および第二のレシーバーを有することができる。第一および第二のレシーバーは、第一および第二の円材とそれぞれ噛み合うように構成され、デッキからの片持ち梁状部分を保持できる。各レシーバーは、各レシーバーが各円材に固定されるように、片持ち梁状部分がデッキに連結される場合に、各円材の一部分を受容する大きさの内部空間を備えるように形成できる。各円材はデッキに対して枢動可能にできる。
【００１６】
幾つかの実施形態において、デッキには柱脚上に保持された主要部分、および主要部分に対して枢動可能な調節可能部分が含まれる。片持ち梁状保持部は、デッキの調節可能部分に連結できる。片持ち梁状保持部には、第一の梁に連結された第一の連結器と、第二の梁に連結された第二の連結器とを有することができる。第一および第二の連結器は、片持ち梁状保持部をデッキに固定するために、デッキの調節可能部分の一部に噛み合うように構成できる。
【００１７】
第一および第二の連結器は、連結器をデッキの調節可能な部分に固定するために、クランプ機構の圧力を調節するよう構成された手動アクチュエータを有するクランプ機構をそれぞれ備えることができる。調節可能デッキはアクセサリレールを有することができ、また第一および第二の連結器のクランプ機構は、片持ち梁状保持部をアクセサリレールに固定することができる。
【００１８】
幾つかの実施形態において、クランプ機構は第一のグリップおよび第一のグリップと相対的に移動可能な第二のグリップを備え、第二のグリップは、デッキの調節可能部分のアクセサリレール上に連結器を位置決めするためのテーパー付き表面を有する。第一および第二の連結器は、デッキおよび片持ち梁状保持部が水平位置にある場合、第一および第二の梁のそれぞれの上部表面がデッキの一部分の上部表面の下に垂直に位置するように、片持ち梁状保持部を位置付けるよう構成できる。
【００１９】
本開示のさらにまた別の態様において、アクセサリプラットフォームは放射線透過性デッキ部分を有する手術台と併用される。プラットフォームは、間隔をおいた一般に平行な複数の放射線透過性支持梁と、支持梁を相互接続する複数のクランプ機構を備え、クランプ機構はプラットフォームを手術台のデッキ部分に固定するよう構成される。
【００２０】
幾つかの実施形態において、支持梁は長軸方向の長さをそれぞれ有し、またクランプ機構は連携して各梁の長軸方向の長さを手術台のデッキの長軸方向の長さに揃えるように構成される。幾つかの実施形態において、プラットフォームには各梁上に保持された患者保持用アクセサリが含まれる。プラットフォームは、患者の一部分が手術台のデッキの上部表面上で垂直方向に間隔が空くように、プラットフォームが腹臥位の患者を保持するよう構成される。
【００２１】
幾つかの実施形態において、支持梁はセグメント化され、ヒンジで接続されてセグメントが互いに関節を形成するようになっている。セグメント化された各支持梁は移動可能であり、各セグメント相互に移動させることもできる。
【００２２】
幾つかの実施形態において、クランプ機構には、第一の梁に固定された第一のグリップと、第二の梁に固定されたブロックと、第一のグリップおよびブロックを接続し、一般に第一および第二の梁に対して直角である横梁と、ブロックに連結された第二のグリップとが含まれる。第二のグリップは、第一のグリップと第二のグリップとの間の距離を変化させるようブロックに対して移動可能であり、プラットフォームを手術台のデッキに固定させることができる。クランプ機構には、第二のグリップをブロックに対して移動させるためのアクチュエータを有することができる。アクチュエータには、ねじ付ロッドおよび球状部分を有することができ、ねじ付ロッドはブロック内に受容され、ねじ付ロッドの回転によって球状部分が第二のグリップに作用し、第一のグリップと第二のグリップとの間の距離を変化させる。
【００２３】
上記に列挙した特徴および請求項に列挙した特徴を含む、単独または他の任意の特徴と組み合わせた追加的な特徴は、特許性のある主題を備えることができ、現時点で理解される発明を実行する最良の形態を例示する実施形態の以下の詳細な説明を考察することにより、当業者にとって明らかとなる。
【図面の簡単な説明】
【００２４】
【図１】放射線透過性デッキおよびデッキに固定された手術台アクセサリプラットフォームを有する手術台の斜視図である。
【図２】二つの患者保持用アクセサリを示す図１と同様の手術台アクセサリプラットフォームの斜視図である。
【図３】図１の手術台アクセサリプラットフォームの斜視図である。
【図４】図１の手術台アクセサリプラットフォームの端面図である。
【図５】図１の手術台の一部を線５−５に沿って切った断面図である。
【図６】図１の手術台アクセサリプラットフォームのクランプアクチュエータの斜視図である。
【図７】図１の手術台アクセサリプラットフォームの一部分の組立分解図である。
【図８】デッキ内に形成されたアクセサリレールを有する放射線透過性デッキを備える手術台の別の実施形態の斜視図である。
【図９】図８の手術台の側面図である。
【図１０】図８の手術台の患者保持用アクセサリを取り除いた斜視図である。
【図１１】手術台のデッキの一部分に結合された片持ち梁状保持部を有し、該片持ち梁状保持部が手術台のデッキに対して移動可能な手術台の斜視図である。
【図１２】図１１の手術台の患者保持用アクセサリを取り除いた分解斜視図である。
【図１３】手術台の調節可能なデッキ部分に連結された片持ち梁状保持部を有する手術台のさらなるの実施形態の斜視図であり、手術台は調節可能なデッキ部分で第一の位置にある。
【図１４】調節可能なデッキ部分が第二の位置にある図１３と同様の図である。
【図１５】手術台と、手術台の固定デッキ部分に連結可能な片持ち梁状保持部とのさらなる別の実施形態の斜視図である。
【図１６】図１３〜１５の片持ち梁状保持部の底面図である。
【図１７】図１６の片持ち梁状保持部の連結器の側面図であり、片持ち梁状保持部の各部を破線で示している。
【図１８】図１３〜１５の片持ち梁状保持部の連結器の端面図であり、片持ち梁状保持部の各部および手術台を破線で示している。
【発明を実施するための形態】
【００２５】
手術台４０として例示的に具体化された患者支持装置４０には、図１に示すように、柱脚４４および放射線透過性デッキ５２が含まれる。以下に説明するとおり、放射線透過性デッキ５２は取り外すことができ、また、従来の手術台デッキと取り替えることができる。手術台４０は、Trumpf Medical Systems社（サウスカロライナ州チャールストン）から入手可能であるJupiter（登録商法）テーブルとして知られているタイプと類似しており、これには炭素繊維製の天板が含まれる。手術台４０は、柱脚４４を支える基部４２をさらに含む。柱脚４４が下部分４６と、下部分４６に対して移動可能な上部分４８とを含むことで、デッキ５２を様々な任意の位置に位置付ける。
【００２６】
手術台４０は、デッキ５２の片持ち梁状部分５４がデッキ５２の主要部分５０から伸びるように構成され、片持ち梁状部分５４は片持ち梁状部分５４の真下から直接支持されていない。デッキ５２の片持ち梁状の構成により、放射線機器などの撮像機器の利用が可能になり、例えばデッキ５２の片持ち梁状部分５４への接近が妨げられることはない。これにより外科医は、処置中に撮像に十分に接近できる状態で、手術台４０上に保持された患者に対する処置を実施できる。各種のパッド、クッション、またはマットレスをデッキ５２上に置くことができる。デッキ５２上の患者の位置決めは、各種クッションまたはパッドの配置によって行われることが多い。
【００２７】
図１の例示的な実施形態において、手術台４０は、手術台アクセサリプラットフォーム５６がデッキ５２に取り付けられた状態で示されている。プラットフォーム５６は、特に脊髄外科用に手術台４０上での患者の位置決めを改善できるように構成されている。プラットフォーム５６は、図１に示すように、２つの横方向の梁５８及び５９と、横方向の梁５８に連結され、梁５８を保持するように構成された２つのブラケット６０とを備えている。ブラケット６０は、２つの横梁６２及び６３に連結され、横梁６２及び横梁６３は、図１に示すように、プラットフォーム５６を手術台４０に連結するために２つのクランプ６４に連結される。
【００２８】
図２に示すように、２つのアクセサリ６６、６６がプラットフォーム５６に保持される。アクセサリ６６は、例示的に、２００６年４月１１日に出願された米国特許出願第１１／４０２,３２７号「BODY SUPPORT APPARATUS FOR SPINAL SURGERY」に開示されている身体支持組立品である。多数の他のアクセサリのうち任意のアクセサリをプラットフォーム５６上で保持できることが理解されるべきである。アクセサリ６６は、それぞれ梁５８および５９の長軸方向の長さに沿って移動可能であり、アクセサリ６６のそれぞれの位置を変化させることができる。
【００２９】
例示的な実施形態において、横梁６２、ブラケット６０、およびクランプ６４は連携して、プラットフォーム５６を放射線透過性手術台４０の外側端部６８および６９に固定できるようにする幅調節可能クランプ機構７０を画定する。幾つかの実施形態においては、マジックテープ式のファスナーシステム（不図示）を採用して、手術台アクセサリプラットフォーム５６を放射線透過性手術台４０に固定することができる。
【００３０】
幅調節可能クランプ機構７０は、クランプ６４上のアクチュエータ７２によって起動して、グリップ７４を図４の矢印７６の方向に移動させる。アクチュエータ７２には、グリップ７４の凹部８０内に受容される球状部分７８が含まれる（図７が適例）。アクチュエータ７２のハンドル８２は、球状部分７８から延在し、ユーザーが握るための形状となっている。ねじ付シャフト８４がアクチュエータ７２に対して枢動可能になることによって、アクチュエータ７２をハンドル８２がクランプ６４のブロック８６と係合する位置に移動できるように、ねじ付シャフト８４はピン８６によりアクチュエータ７２に連結され、これによりアクチュエータ７２をハンドル８２が撮像機器または介護者に接触する可能性を低減させる位置に保つ。球状部分７８は、ハンドルをブロック８６に対して位置付けできるように、ねじ付シャフト８４が経路８８内を自由に移動できるような大きさの経路８８を含むよう形成される。
【００３１】
ねじ付シャフト８４は、連結器９２のねじ穴９４に嵌入する。ねじ付シャフト８４は、ねじ付シャフト８４の回動の中心となる軸９０を有し、これによりグリップ７４とブラケット６０のブロック９８内に形成されたグリップ９６との間の距離を短くまたは長くして、ねじ付シャフト８４がグリップ７４を締めたり緩めたりする。グリップ７４とグリップ９６との間の距離は、符号１００により特定される。クランプ６４を締めることによって、グリップ７４およびグリップ９６がそれぞれデッキ５２の端部６８および端部６９に噛み合うように、グリップ７４とグリップ９６の間の距離が短くなる。グリップ７４および９６によって十分な圧力がかかると、プラットフォーム５６はデッキ５２に固定される。
【００３２】
横梁６２は、ファスナー１０４、１０６および１０８を通じて連結器９２、９２とブロック８６、９８との両方に連結している管状部材１０２を備える。例示的な実施形態において、管状部材１０２は押出アルミニウム管である。幾つかの実施形態においては、他の適した材料を代用できる。カバー１１０は、管状部材１０２の上側１１２に取り付けられる。ブロック８６およびブロック９８の両方の中にある各ファスナー１０６は、横方向の梁５８および５９と噛み合う。
【００３３】
例示的な実施形態において、梁５８および５９は実質的に放射線透過性であり、内側におよそ１４インチハーフ（３６．８３ｃｍ）の間隔を空けて配列されている。他の実施形態においては、異なる内側間隔を採用できる。幾つかの実施形態においては、クランプ６４を省いて、プラットフォーム５６を手術台４０に機械的に連結することができる。幾つかの実施形態においては、梁５８および５９はセグメント化および／またはヒンジ接続して、梁５８および５９の各セグメントが梁５８および５９の他のセグメントに対して関節を形成させることができる。梁５８および５９をセグメント化する際には、プラットフォーム５６は梁５８のセグメントが従動または固定されるように境界面またはリンクを持つことができる。セグメントは、遠隔操作で従動させることができる。プラットフォーム５６がデッキ５２に固定されているか、または取外し可能な形で連結されているかは、本開示の範囲内である。
【００３４】
図８〜１０に示す別の実施形態において、手術台１４０には主要部分１５０および主要部分１５０から延びた片持ち梁状部分１５４を有するデッキ１５２が含まれる。デッキ１５２は柱脚４４上に保持され、これがさらに手術台１４０の基部４２上に保持される。手術台１４０は手術台４０と類似しており、手術台４０のデッキ５２が省かれ、代わりにデッキ１５２がある。デッキ１５２の主要部分１５０は、デッキ５２の主要部分５０と類似するものである。ただし、片持ち梁状部分１５４には２つの横方向の梁１５８および１５９があり、梁１５９は主要部分１５０に固定されて延びている。横方向の梁１５８および１５９は一般に平行であり、空間１６０が梁１５８と梁１５９との間に形成されるように間隔をおいて配置されている。横方向の梁１５８および１５９は、横方向の梁１５８および１５９上に支持される患者の荷重を保持するのに十分な強度を持つ放射線透過性の炭素繊維材料を備えている。図８に示すように、横方向の梁上には１つ以上のアクセサリ６６が取り付け可能である。アクセサリ６６により、患者は手術台１４０上で腹臥位となることができ、脊髄外科手術中に患者の腹部が空間１６０へと下方向に広がることができる。
【００３５】
梁１５８および１５９は、手術台１４０上で保持される患者の荷重のかなりの部分を保持し、またアクセサリ６６および他の同様のアクセサリにかかる患者の全荷重は梁１５８および１５９により支えられ、デッキ１５２の主要部分１５０に伝達されることに注意すべきである。この片持ち梁状の配置により、撮像装置のアクセスの領域１６２が提供され、患者は脊髄または他の神経外科手術行為時に姿勢を変える必要なく、撮像してもらうことができる。従って、医師は移植片などの修復材料の適切な配置や、外科的処置の終始において患者の脊髄構造の適切なアラインメントのチェックができる。例示的な実施形態において、片持ち梁状部分１５４はさらに、主要部分１５０から遠位にある梁１５８および１５９のそれぞれに連結された横梁１６４を含んでいる。横梁１６４は、当技術において公知の様々な頭部保持具など、他のアクセサリ用の取付け箇所を設ける。例示的な実施形態において、頭部保持具１６６は、患者をアクセサリ６６、６６上に腹臥位にさせることができるように梁１５８および１５９上で支えられ、患者の頭が頭部保持具１６６内に収まるようになっている。
【００３６】
図１１〜１２に示す手術台２４０のさらに別の実施形態において、片持ち梁状保持部２５６は、従来式の手術台上に位置する一対の円材２００および２０２に取り付けられる。円材２００および２０２は、片持ち梁状保持部２５６が手術台２４０のデッキ２５２に対して移動できるように、軸２０４の周りを枢動可能である。片持ち梁状保持部２５６は、図１１で示したように軸２０４の周りを移動可能である。片持ち梁状保持部２５６は、手術台１４０の片持ち梁状部分１５４と同様の方法で、レシーバー２６２および２６０から延在する２つの梁２５８および２５９を含む梁組立品２６４に連結された２つのレシーバー２６２および２６０を含んでいる。片持ち梁状保持部２５６は、標準の手術台を、患者を腹臥位にして撮像手段を提供する脊髄外科手術台用に適合させるのに有用である。幾つかの場合においては、梁２５８および２５９は例示的な実施形態で表示されたものよりも長くなり、片持ち梁状保持部２５６の長さが長くなることを理解すべきである。片持ち梁状保持部２５６は、片持ち梁状保持部２５６上で保持される患者の一部分の撮像アクセスを可能にさせるように構成され、構造の周囲３６０度の撮像アクセスを提供できる。
【００３７】
円材２００および２０２は、手術台２４０の残りの上部表面２１０の下に配置できることも理解すべきである。さらに、円材２００および２０２が雄部材として表示され、またレシーバー２６０および２６２が雌部材として示され、円材２００、２０２およびレシーバー２６０、２６２の雌雄は、幾つかの実施形態においては逆にすることができる。
【００３８】
図１１の例示的な実施形態において、頭部保持具２０６は、調節可能構造２０８上に保持される。調節可能構造２０８は、２００７年１０月１日出願された米国特許出願第１１／８６５,３３７号「MODULAR SYSTEM FOR PATIENT POSITIONING DURING MEDICAL PROCEDURES」に開示されたタイプのものであり、当該開示内容を参照し本明細書に組み込む。
【００３９】
次に図１３を参照すると、手術台３４０のさらに別の実施形態が、調節可能デッキ部分３５４とデッキ部分３５４から保持された片持ち梁状保持部３５６とを含むデッキ３５２と共に示されている。手術台３４０は、図１３において調節可能デッキ部分３５４と共に示されており、調節可能デッキ部分３５４は水平よりも低い位置にある。この位置において、患者が手術台３４０上で腹臥位になっている場合、患者の背部はアーチ型になり、脊柱が外科的処置のためにより適切な位置に置かれるようになる。図１３および図１４に示すとおり、片持ち梁状保持部３５６は患者支持構造を保持するように構成される。例示的な実施形態において、頭部保持具２０６は調節可能構造２０８上に取り付けられる。多数の異なる患者支持構造のうちいずれかを片持ち梁状保持部３５６に取付けできることが理解されるべきである。
【００４０】
片持ち梁状保持部３５６には、片持ち梁状保持部３５６を調節可能デッキ部分３５４に固定するよう構成された２つの連結器３５８および３５９が含まれる。調節可能デッキ部分３５４は、デッキ３５２の長手方向の長さと交差する軸３６０を中心にデッキ３５２の残りの部分に対して枢動可能である。調節可能デッキ部分３５６は、図１３に示す下がった位置と、図１４に示す上がった位置との間で、デッキ３５２に対して移動可能である。連結器３５８、３５９は、それぞれ片持ち梁状保持部３５６を調節可能デッキ部分３５４上に位置する２つのアクセサリレール３６２、３６３に固定する。
【００４１】
片持ち梁状保持部３５６は、図１５において、手術台４４０のさらに別の実施形態と共に示されており、デッキ４５２の側面の一部分に沿って延在する一対のアクセサリレール４６２、４６３を有するデッキ４５２を備える従来式の手術台である。連結器３５８、３５９は、片持ち梁状保持部３５６をアクセサリレール４６２、４６３にそれぞれ固定するように構成されている。片持ち梁状保持部３５６には、一対の細長い梁４６４および４６６と、梁４６４および４６６の間に連結器３５８および３５９と一直線になって伸びている一対の横梁４６８、４７０とが含まれる。梁４６４および４６６は放射線透過性であり、両梁の間に空間４７２を設けるように横方向に間隔をおいて配置される。
【００４２】
次に図１６および図１７を参照するが、連結器３５８は、梁４６４の低い表面４７８を通過するファスナー４７４によって梁４６４に固定され、連結器３５８のロッド４８４の平坦な表面４８２に作用する（図１８が適例）。ファスナー４７４が平坦な表面４８２から外れている場合、連結器３５８はレール４６４から取り外しできる。連結器３５８および３５９は類似したものであること、また連結器３５９は梁４６６の表面４８０を通して作用するファスナー４７６によってレール４６６に固定されることに注意すべきである。ロッド４８４および４８６は本体４８８から伸長し、またレール４６４および４６６の内側に収容されたブロック４９０内に受容される。ロッド４８４および４８６は、それぞれの横方向の梁４６８および４７０の１つにある連結器４９２にそれぞれ受容される。従って、連結器３５８および３５９は、ロッド４８４および４８６を通って、梁４６４および４６６内にそれぞれ収容されたブロック４９０と、横梁４６８、４７０のそれぞれに収容された連結器４９２、４９２、４９２、４９２とを、片持ち梁状保持部３５６がまとめて連結されるように連結する。
【００４３】
連結器３５８および３５９を梁４６４および４６６に取り付ける方法は、レシーバー２６０および２６２を梁３５８および３５９に取り付ける方法と同じである。
【００４４】
連結器３５８および３５９のそれぞれは、連結器３５８に関連して図１８に示すようにクランプ機構５００を含む。クランプ機構５００には、本体４８８内に形成された下部分５１０が含まれる。上部分５０８は、上部分５０８と下部分５１０との間に形成される空間５１４を減少させるように下部分５１０に対して移動可能であることによって、図１８に破線で示されたアクセサリレール４６２などのアクセサリレールを掴むことができる。一対のシャフト５０４、５０４は、上部分５０８の移動を案内するために上部分５０８と下部分５１０との間に位置付けされる。シャフト５０４のそれぞれは、上部分５０８を下部分５１０から遠ざけるバネ５０６を保持している。手動アクチュエータ５０２には、下部分５１０に受容されるねじ付シャフト（不図示）が含まれる。アクチュエータ５０２の移動により、上部分５０８が下部分５１０に対して移動し、上部グリップ５１２と下部グリップ５１６との間の間隔を変更する。上部グリップ５１２のテーパー付き表面５１８により、クランプ機構５００内でのアクセサリレール４６２の位置決めが容易になる。
【００４５】
ある特定の例示的な実施形態について上記に詳細に説明してきたが、下記の請求項で説明および画定される本開示内容の範囲および趣旨の中で、複数のバリエーションおよび変形が存在する。
【図１】
2010536535.tif 000003
【図２】
2010536535.tif 000004
【図３】
2010536535.tif 000005
【図４】
2010536535.tif 000006
【図５】
2010536535.tif 000007
【図６】
2010536535.tif 000008
【図７】
2010536535.tif 000009
【図８】
2010536535.tif 000010
【図９】
2010536535.tif 000011
【図１０】
2010536535.tif 000012
【図１１】
2010536535.tif 000013
【図１２】
2010536535.tif 000014
【図１３】
2010536535.tif 000015
【図１４】
2010536535.tif 000016
【図１５】
2010536535.tif 000017
【図１６】
2010536535.tif 000018
【図１７】
2010536535.tif 000019
【図１８】
2010536535.tif 000020
【手続補正書】
【提出日】平成22年5月11日(2010.5.11)
【手続補正１】
【補正対象書類名】特許請求の範囲
【補正対象項目名】全文
【補正方法】変更
【補正の内容】
【特許請求の範囲】
【請求項１】
患者支持装置であって、
（i）縦軸を有し、手術台の一部分に固定されるように構成された第一の放射線透過性梁と、（ii）縦軸を有し、手術台の一部分に固定されるように構成された第二の放射線透過性梁とを有する片持ち梁状保持部を備え、前記第二の梁の縦軸は、一般に前記第一の梁の縦軸に対して平行に配向され、前記第一および第二の梁は、患者保持用アクセサリによって支えられる実質的に全ての荷重が前記各梁を通って前記手術台に直接伝達されるように、連携して患者保持用アクセサリを保持するよう構成されている、患者支持装置。
【請求項２】
柱脚を有する手術台と、前記柱脚に保持されたデッキとをさらに備え、前記患者保持用アクセサリによって支えられる荷重が前記各梁を通って前記デッキに直接伝達される、請求項１に記載の患者支持装置。
【請求項３】
前記片持ち梁状保持部は、前記第一および前記第二の放射線透過性梁にそれぞれ連結された第一および第二のレシーバーを含み、前記第一および前記第二のレシーバーは、前記手術台の第一および第二の円材とそれぞれ噛み合い、前記手術台から前記片持ち梁状保持部を保持するように構成されている、請求項１または２のいずれか一項に記載の患者支持装置。
【請求項４】
前記各円在は、前記片持ち梁状保持部を、前記各梁の長軸方向の長さとおおむね直交している軸を中心に前記デッキに対して移動させるように調節可能である、請求項３に記載の患者支持装置。
【請求項５】
前記片持ち梁状保持部は、前記第一の梁に連結された第一の連結器と前記第二の梁に連結された第二の連結器とを有し、前記第一および前記第二の連結器は、前記手術台のアクセサリレールとそれぞれ噛み合うように構成され、前記第一および前記第二の連結器は、前記連結器を前記アクセサリレールに固定するためにクランプ機構の圧力を調節するよう構成された手動アクチュエータを含むクランプ機構をそれぞれ備えている、請求項１または２のいずれか一項に記載の患者支持装置。
【請求項６】
前記クランプ機構は、第一のグリップと前記第一のグリップと相対的に移動可能な第二のグリップとを備え、前記第二のグリップは、前記アクセサリレール上に前記連結器を位置決めするためのテーパー付き表面を有している、請求項５に記載の患者支持装置。
【請求項７】
前記第一および前記第二の連結器は、前記片持ち梁状保持部が水平位置にある場合に、前記第一および第二の梁のそれぞれの上部表面が前記手術台の一部分の上部表面の下に垂直に位置するように前記片持ち梁状保持部を位置決めするよう構成されている、請求項５または６のいずれか一項に記載の患者支持装置。
【請求項８】
前記片持ち梁状保持部は、前記デッキが主要部分を含むようにデッキ構造の一部として形成され、前記片持ち梁状保持部は、前記主要部分と一体化して形成されてそこから伸長する、請求項１または２のいずれか一項に記載の患者支持装置。
【請求項９】
前記片持ち梁状保持部は、脊髄外科患者の上半身を保持するよう前記手術台から伸長し、前記片持ち梁状保持部と前記患者支持装置を支持する床との間の隙間を形成して、前記片持ち梁状保持部上に保持された患者に対して３６０度の撮像手段を提供する、請求項１から８のいずれか一項に記載の患者支持装置。
【請求項１０】
前記片持ち梁状保持部が各梁の間を前記手術台から遠位に伸びる横材を含むように形成される、請求項１から９のいずれか一項に記載の患者支持装置。
【請求項１１】
前記主要部分の各上面、前記第一の梁、前記第二の梁および前記横梁がすべて実質的に同一平面上にある、請求項１０に記載の患者支持装置。
【請求項１２】
前記患者支持装置は、腹臥位の患者を保持するよう構成された患者保持用アクセサリをさらに備え、前記患者保持用アクセサリは第一および第二のレール上に保持され、各レールの縦軸に沿って移動可能である、請求項１から１１のいずれか一項に記載の患者支持装置。
【請求項１３】
前記患者保持用アクセサリが頭部保持具である、請求項１から１２のいずれか一項に記載の患者支持装置。
【請求項１４】
前記患者保持用アクセサリは各レールに固定される、請求項１から１３のいずれか一項に記載の患者支持装置。
【請求項１５】
前記片持ち梁状保持部は、前記各支持梁を相互接続する複数のクランプ機構を有するアクセサリプラットフォームを備え、前記各クランプ機構は、前記プラットフォームを前記手術台に固定するように構成され、
前記クランプ機構は、第一の梁に固定された第一のグリップと、第二の梁に固定されたブロックと、前記第一のグリップおよび前記ブロックを接続する横梁とを有し、前記横梁は前記第一および前記第二の梁におおむね直交し、前記第二のグリップは前記ブロックに連結されて前記第一およびと前記第二のグリップとの間の距離を変化させるよう前記ブロックに対して移動可能であり、これにより前記プラットフォームを前記デッキに固定させる、請求項１から１４のいずれか一項に記載の患者支持装置。
【請求項１６】
前記クランプ機構は、前記第二のグリップを前記ブロックに対して移動させるためのアクチュエータを有する、請求項１５に記載の患者支持装置。
【請求項１７】
前記アクチュエータはねじ付ロッドおよび球状部分を有し、前記ねじ付ロッドは前記ブロック内に受容され、前記ねじ付ロッドの回転によって前記球状部分が前記第二のグリップに作用して、前記第一と前記第二のグリップとの間の距離を変化させる、請求項１６に記載の患者支持装置。
【国際調査報告】
2010536535.tif 000021